(57)【要約】【課題】狭ピッチに配列された信号用およびグランド用の２種類のコンタクトに同軸ケーブルの芯線を電気的に接続する作業を能率的に行うことができる、同軸ケーブルコネクタへの同軸ケーブルの接続構造を提供する。【解決手段】隣り合って配列されるグランド用コンタクト４２の配列方向の投影面が対の信号用コンタクトを覆う。グランド用コンタクト４２の切り欠き５０を含む先端部分と信号用コンタクト３２、３４の挟み部４０とが千鳥状に配列される。信号線１６ａ、１６ｂは、取り付けられた係止部材５４を介して信号用コンタクト３２、３４の挟み部４０に係止される。ドレインワイヤ１８は、折り返されて、グランド用コンタクト４２の切り欠き５０に係止される。【選択図】      図８
2004158289.tif 000002
【特許請求の範囲】
【請求項１】
同軸ケーブルの信号線に接続される信号用コンタクトと、該信号用コンタクトに隣接して配置され、該同軸ケーブルのドレインワイヤに接続されるグランド用コンタクトと、該信号用コンタクトおよび該グランド用コンタクトを保持する絶縁体とを備える同軸ケーブルコネクタへの同軸ケーブルの接続構造において、
該グランド用コンタクトが、コンタクト配列方向からみたときの該信号用コンタクトに対する投影面が該信号用コンタクトを覆うように該信号用コンタクトよりも長大に形成され、
該ドレインワイヤ側に向く該グランド用コンタクトの端部および該信号線側に向く該信号用コンタクトの端部が接続方向に千鳥状に配列され、
該信号用コンタクトおよび該グランド用コンタクトのそれぞれの端部に切り欠きが形成され、
該切り欠きに該信号線または該ドレインワイヤを係止することにより、該信号用コンタクトおよび該グランド用コンタクトが該同軸ケーブルに電気的に接続されることを特徴とする同軸ケーブルコネクタへの同軸ケーブルの接続構造。
【請求項２】
同軸ケーブルの信号線に接続される信号用コンタクトと、該信号用コンタクトに隣接して配置され、該同軸ケーブルのドレインワイヤに接続されるグランド用コンタクトと、該信号用コンタクトおよび該グランド用コンタクトを保持する絶縁体とを備える同軸ケーブルコネクタへの同軸ケーブルの接続構造において、
該グランド用コンタクトが、コンタクト配列方向からみたときの該信号用コンタクトに対する投影面が該信号用コンタクトを覆うように該信号用コンタクトよりも長大に形成され、
該ドレインワイヤ側に向く該グランド用コンタクトの端部および該信号線側に向く該信号用コンタクトの端部が接続方向に千鳥状に配列され、
該信号用コンタクトおよび該グランド用コンタクトのそれぞれの端部に係止部が形成され、
該信号線および該ドレインワイヤのいずれか一方または双方の端部に係止部材が取り付けられ、
該係止部に該係止部材を係止することにより、該信号用コンタクトおよび該グランド用コンタクトのいずれか一方または双方が該同軸ケーブルに電気的に接続されることを特徴とする同軸ケーブルコネクタへの同軸ケーブルの接続構造。
【請求項３】
前記信号用コンタクトおよび前記信号線は、平衡伝送用に、それぞれ対に設けられていることを特徴とする請求項２記載の同軸ケーブルコネクタへの同軸ケーブルの接続構造。
【請求項４】
前記グランド用コンタクトと前記信号用コンタクトとが交互にそれぞれ複数配列され、
該グランド用コンタクトの前記端部が接続される共通支持部が設けられ、
全てのグランド用コンタクトが該共通支持部により一体化されていることを特徴とする請求項１〜３のいずれか１項に記載の同軸ケーブルコネクタへの同軸ケーブルの接続構造。
【請求項５】
前記グランド用コンタクトの前記端部と前記共通支持部とは導通可能に形成され、
該共通支持部が共通グランドとして用いられることを特徴とする請求項４記載の同軸ケーブルコネクタへの同軸ケーブルの接続構造。
【請求項６】
前記共通支持部に保持部が形成され、
前記同軸ケーブルのシースで覆われた部分が該保持部に保持されることを特徴とする請求項４または５に記載の同軸ケーブルコネクタへの同軸ケーブルの接続構造。
【請求項７】
前記絶縁体に保持部が設けられ、
前記信号用コンタクトの前記端部が該保持部により保持、固定されることを特徴とする請求項１〜６のいずれか１項に記載の同軸ケーブルコネクタへの同軸ケーブルの接続構造。
【請求項８】
前記信号用コンタクトの前記係止部は、該信号用コンタクトの該端部の先端が二股に分岐し、かつその分岐した二股部分のそれぞれの先端が折り返されて形成される挟み部を有し、
前記信号線の前記係止部材は、一端に該信号線の該端部の先端が固定される固定部を有するとともに、他端にＴ字状部を有し、
該挟み部に該Ｔ字状部を係止することを特徴とする請求項２記載の同軸ケーブルコネクタへの同軸ケーブルの接続構造。
【請求項９】
前記グランド用コンタクトの前記係止部は、前記端部の先端に形成される切り欠きであり、
前記ドレインワイヤの端部を該切り欠きに係止することにより、該グランド用コンタクトが該同軸ケーブルに電気的に接続されることを特徴とする請求項２記載の同軸ケーブルコネクタへの同軸ケーブルの接続構造。
【請求項１０】
前記グランド用コンタクトの前記端部よりも中心側に保持部が形成され、
前記同軸ケーブルのシースで覆われた部分が該保持部に保持されるとともに、該保持部より先に位置する該同軸ケーブルの該シースが除去されて露出した該ドレインワイヤを折り返して該ドレインワイヤの端部を前記切り欠きに係止することを特徴とする請求項９記載の同軸ケーブルコネクタへの同軸ケーブルの接続構造。
【請求項１１】
前記信号用コンタクトの前記係止部は、前記端部の先端に形成される切り欠きであり、
前記信号線の端部を該切り欠きに係止することにより、該信号用コンタクトが該同軸ケーブルに電気的に接続されることを特徴とする請求項２に記載の同軸ケーブルコネクタへの同軸ケーブルの接続構造。
【発明の詳細な説明】
【０００１】
【発明の属する技術分野】
本発明は、同軸ケーブルコネクタへの同軸ケーブルの接続構造に関する。
【０００２】
【従来の技術】
従来、同軸ケーブルを同軸ケーブルコネクタへ接続するためには、以下のような方法が取られていた。
【０００３】
例えば、複数のコンタクトが配列されたコネクタに対して、同軸ケーブルの芯線（導体）を、シースを除去した状態でコンタクトと一対一で対向するように配置し、押圧部材を用いて一括して押圧した状態で固定することにより、コンタクトに芯線を圧接して、電気的な接続を行っていた。この場合、圧接する方法に変えてはんだ付けする方法も用いられていた。
【０００４】
また、上記の方法では芯線を覆うシースを手作業で除去することが必要であり、多くの工数を要するため、これを改善すべく、例えば図１に示すように、コンタクト１の一端にＶ字状あるいはＵ字状の切り欠き（圧接スロット）２を形成し、シース３ａに覆われた芯線３ｂをそのまま切り欠きに係止することにより、シース３ａを手作業で除去する工程を省略する方法も採用されている（例えば、特許文献１参照）。
【０００５】
ところで、近年の電子技術の進展に伴い、電子機器の小型化が強く求められている。この小型化要求は、電子機器間の接続に使用される同軸ケーブルコネクタについても例外ではない。同軸ケーブルコネクタの小型化を実現するためには、配列されるコンタクト間のピッチを小さくすること、すなわち、狭ピッチ化が必須である。また、電子技術の進展は、一方で、遠距離の電子機器間でやり取りする信号量の増大と信号の高速伝送化をもたらしている。これに応えるための１つの好適な手段は、コンタクトを対で用いる平衡伝送方式を採用することであるが、この場合、コンタクト配列の一層の狭ピッチ化あるいは高密度化が求められる。
【０００６】
このようなコンタクト配列が狭ピッチ化等した同軸ケーブルコネクタへ同軸ケーブルを接続する方法として、上記した従来の圧接等の方法を用いた場合、隣り合うコンタクト間において、コンタクトと芯線との接続部分が相互に干渉して、接続作業が困難となり、また、このため狭ピッチ化等自体が制約されることもある。
【０００７】
上記の不具合を改善するために、中継用の配線基板を介して同軸ケーブルを同軸ケーブルコネクタへ接続する、以下のような方法も採用されている。
【０００８】
すなわち、同軸ケーブルコネクタへの同軸ケーブルの接続構造は、例えば図２に示すように、複数のコンタクト４を絶縁体４ａに収容した端子部５と、中継用の配線基板６と、シース７ａに覆われた複数の芯線７ｂを表皮７ｃで覆った同軸ケーブル８と、これらの各部材を収容する図示しない筐体とで構成される。
【０００９】
中継用の配線基板６には、複数の配線６ａが形成されるとともに、各配線６ａの両端にパッド６ｂ、６ｃが設けられる。
【００１０】
そして、配線基板６の一端側のパッド６ｂに同軸ケーブルの各芯線７ｂをはんだ付けして固定した後、配線基板６の他端側のパッド６ｃ上に複数のコンタクト４の端部を位置決めして一括してはんだ付けして固定することにより、コンタクト４と同軸ケーブル８の芯線７ｂとが配線基板６を介して電気的に接続される。
【００１１】
この場合、同軸ケーブルの芯線のはんだ付けはコネクタとは分離された配線基板上で行うことができるため、狭ピッチ化の場合等においてもはんだ付け作業は比較的容易であるとされている（例えば、特許文献２参照）。
【００１２】
【特許文献１】
特開平１１−３０７１８７号公報。
【００１３】
【特許文献２】
特開２０００−６８００７号公報。
【００１４】
【発明が解決しようとする課題】
しかしながら、上記の中継用の配線基板を用いて同軸ケーブルの芯線をはんだ付けする方法は、配線基板に狭いピッチで形成されたパッドに芯線を１本ずつはんだ付けするものであるため、作業性は必ずしも良好ではなく、作業工数が大きくなる問題がある。特に、信号用およびグランド用の２種類のコンタクトに多数の芯線を接続するとき、この問題は顕在化する。
【００１５】
本発明は、上記の課題に鑑みてなされたものであり、狭ピッチに配列された信号用およびグランド用の２種類のコンタクトに同軸ケーブルの芯線（導体）を電気的に接続する作業を能率的に行うことができる、同軸ケーブルコネクタへの同軸ケーブルの接続構造を提供することを目的とする。
【００１６】
【課題を解決するための手段】
本発明に係る同軸ケーブルコネクタへの同軸ケーブルの接続構造は、同軸ケーブルの信号線に接続される信号用コンタクトと、該信号用コンタクトに隣接して配置され、該同軸ケーブルのドレインワイヤに接続されるグランド用コンタクトと、該信号用コンタクトおよび該グランド用コンタクトを保持する絶縁体とを備える同軸ケーブルコネクタへの同軸ケーブルの接続構造において、該グランド用コンタクトが、コンタクト配列方向からみたときの該信号用コンタクトに対する投影面が該信号用コンタクトを覆うように該信号用コンタクトよりも長大に形成され、該ドレインワイヤ側に向く該グランド用コンタクトの端部および該信号線側に向く該信号用コンタクトの端部が接続方向に千鳥状に配列され、該信号用コンタクトおよび該グランド用コンタクトのそれぞれの端部に切り欠きが形成され、該切り欠きに該信号線または該ドレインワイヤを係止することにより、該信号用コンタクトおよび該グランド用コンタクトが該同軸ケーブルに電気的に接続されることを特徴とする（請求項１に係る発明）。
【００１７】
これにより、信号線と信号用コンタクトとの接続部位およびドレインワイヤとグランド用コンタクトとの接続部位が接続作業時に相互に干渉することがないため、コンタクトが狭ピッチに配列されたコネクタに同軸ケーブルの芯線（導体）を電気的に接続する作業を能率的に行うことができる。また、芯線の露出部分を短くして接続することもできる。また、中継用の基板を用いる従来の方法の場合、基板上の配線間のクロストークノイズの発生を無視することができないが、本発明によれば、この不具合が軽減される。
【００１８】
この場合、該信号線および該ドレインワイヤのいずれか一方または双方の端部に係止部材が取り付けられ、該係止部に該係止部材を係止することにより、該信号用コンタクトおよび該グランド用コンタクトのいずれか一方または双方が該同軸ケーブルに電気的に接続されるように構成すると（請求項２に係る発明）、係止部材を用いた簡易な方法で、かつ確実に接続することができる。
【００１９】
また、この場合、前記信号用コンタクトの前記係止部は、該信号用コンタクトの該端部の先端が二股に分岐し、かつその分岐した二股部分のそれぞれの先端が折り返されて形成される挟み部を有し、前記信号線の前記係止部材は、一端に該信号線の該端部の先端が固定される固定部を有するとともに、他端にＴ字状部を有し、該挟み部に該Ｔ字状部を係止すると（請求項８に係る発明）、従来の、切り欠きに単に信号線（芯線）を引っかける方法に比べて、確実に接続することができる。
【００２０】
また、この場合、前記グランド用コンタクトの前記係止部は、前記端部の先端に形成される切り欠きであり、前記ドレインワイヤの端部を該切り欠きに係止することにより、該グランド用コンタクトを該同軸ケーブルに電気的に接続してもよい（請求項９に係る発明）。
【００２１】
また、この場合、前記グランド用コンタクトの前記端部よりも中心側に保持部が形成され、前記同軸ケーブルのシースで覆われた部分が該保持部に保持されるとともに、該保持部より先に位置する該同軸ケーブルの該シースが除去されて露出した該ドレインワイヤを折り返して該ドレインワイヤの端部を前記切り欠きに係止すると（請求項１０に係る発明）、外力等が同軸ケーブルに作用したときであっても、ドレインワイヤや信号線の位置がずれて相互に接触する等の不具合を防止することができる。また、信号線は、信号用コンタクトとの係止部分の直近まで電線のシースで覆った形態であり、一方、グランド用コンタクトは、ドレインワイヤが係止される端部まで有効に機能するため、好適である。
【００２２】
また、この場合、前記信号用コンタクトの前記係止部は、前記端部の先端に形成される切り欠きであり、前記信号線の端部を該切り欠きに係止することにより、該信号用コンタクトが該同軸ケーブルに電気的に接続される構成としてもよい（請求項１１に係る発明）。
【００２３】
また、本発明に係る同軸ケーブルコネクタへの同軸ケーブルの接続構造において、前記信号用コンタクトおよび前記信号線は、平衡伝送用に、それぞれ対に設けられていると（請求項３に係る発明）、接続箇所が増大したコネクタにおいて、より好適に本発明の効果を得ることができる。
【００２４】
また、本発明に係る同軸ケーブルコネクタへの同軸ケーブルの接続構造において、前記グランド用コンタクトと前記信号用コンタクトとが交互にそれぞれ複数配列され、該グランド用コンタクトの前記端部が接続される共通支持部が設けられ、全てのグランド用コンタクトが該共通支持部により一体化されていると（請求項４に係る発明）、外力等を受けたときであっても、グランド用コンタクトが変形して、例えば隣の信号用コンタクトと接触する等の不具合を生じることがない。
【００２５】
この場合、前記グランド用コンタクトの前記端部と前記共通支持部とは導通可能に形成され、該共通支持部が共通グランドとして用いられると（請求項５に係る発明）、好適である。
【００２６】
また、この場合、前記共通支持部に保持部が形成され、前記同軸ケーブルのシースで覆われた部分が該保持部に保持されると（請求項６に係る発明）、外力等が同軸ケーブルに作用したときであっても、ドレインワイヤや信号線の位置がずれて相互に接触する等の不具合を防止することができる。
【００２７】
また、この場合、前記絶縁体に保持部が設けられ、前記信号用コンタクトの前記端部が該保持部により保持、固定されると（請求項７に係る発明）、外力等が作用したときであっても、接続した信号線の分離、脱落を防止することができ、また、信号用コンタクトの変形を防止することができる。
【００２８】
なお、上記の各発明における切り欠きの形状は、特に限定するものではなく、Ｖ字状、Ｕ字状等の適宜の形態とすることができる。
【００２９】
【発明の実施の形態】
本発明に係る同軸ケーブルコネクタへの同軸ケーブルの接続構造の好適な実施の形態（以下、本実施の形態例という。）について、図を参照して、以下に説明する。
【００３０】
本実施の形態例に係る同軸ケーブルコネクタおよび同軸ケーブルは信号伝送方式として平衡伝送方式を用いたものである。
【００３１】
まず、同軸ケーブルについて説明する。
【００３２】
同軸ケーブル１０は、図３に示すように、複数の電線１２を有する。各電線１２は、それぞれ被覆部１４ａ、１４ｂで覆われた対の信号線１６ａ、１６ｂおよびドレインワイヤが１８シールド部（遮蔽網線）２０で覆われ、さらにシールド部２０がシース（押え巻き部）２２で覆われた構成となっている。図３（ａ）では、便宜的に、電線１２の断面形状を円形に表示したが、実際には、図３（ｂ）に示すように電線１２は扁平状に変形し、これにより、ドレインワイヤ１８はシールド部２０に接触し、電気的に接続している。このように構成された複数の電線１２が絶縁性の充填部２４の回りに円状に配列され、全体が外シース（外押え巻き部）２６、外シールド部（外遮蔽用網線）２８および外被覆部３０で覆われて、１本の同軸ケーブル１０とされている。
【００３３】
つぎに、本実施の形態の第１の例に係る、同軸ケーブルの同軸ケーブルコネクタへの接続構造について説明する。
【００３４】
同軸ケーブルコネクタは、同軸ケーブル１０の各電線１２の対の信号線１６ａ、１６ｂに接続される対の信号用コンタクト３２、３４と、対の信号用コンタクト３２、３４に隣接して配置され、同軸ケーブルの各電線１２のドレインワイヤ１８に接続されるグランド用コンタクト４２と、信号用コンタクト３２、３４およびグランド用コンタクト４２を保持する絶縁体５６とを備える。
【００３５】
対の信号用コンタクト３２、３４は、図４に示すように、それぞれ、ストレート状部（バルジ部）３６の一端部の先端部分３８が刃状に形成される。この先端部分３８は、同軸ケーブルコネクタが接続される相手方コネクタの信号用コンタクトと接触して電気的に接続される接触部である。信号用コンタクト３２、３４の他端部は、ストレート状部３６よりも幅広な矩形状に形成され、さらに、矩形状部分の先端が二股に分岐し、かつその分岐した二股部分のそれぞれの先端が折り返されて形成される挟み部４０を有する。挟み部４０の先端の折り返し部分は、延出方向に略Ｓ字状で、かつ最先端部分が開いた状態に形成される。挟み部４０は、ばね性を有し、信号線１６ａまたは１６ｂが係止される係止部を構成する。
【００３６】
グランド用コンタクト４２は、図５に示すように、それぞれ、矩形状部（バルジ部）４４の一端側が矩形状部よりも幅の狭い棒状に形成され、さらに先端部分４６が山形に形成される。この先端部分は、同軸ケーブルコネクタが接続される相手方コネクタのグランド用コンタクトと接触して電気的に接続される接触部である。グランド用コンタクト４２の矩形状部４４の他端側は、幅方向に切り欠いて形成される略Ｕ字状の折リ曲げ部（保持部）４８を有する。折リ曲げ部４８はばね性を有する。折リ曲げ部４８の先には、先端部分にＶ字状の切り欠き５０が形成された矩形状部５２を有する。この切り欠き５０は、ドレインワイヤ１８が係止される係止部を構成する。
【００３７】
なお、ドレインワイヤ１８が係止される係止部として、Ｕ字状の切り欠きを形成してもよく、あるいはまた、これらの切り欠きに変えて、上記折り曲げ部の形状や、鉤状等の切り起こしを形成してもよい。この点は、以下に説明する他の切り欠きについても同様である。
【００３８】
グランド用コンタクト４２は、信号用コンタクト３２、３４よりも長大な寸法に形成される。すなわち、グランド用コンタクト４２の長さＬ２は信号用コンタクト３２、３４の長さＬ１よりも長く、また、グランド用コンタクト４２の幅Ｗ２は信号用コンタクト３２、３４の幅Ｗ１よりも大きく形成される。
【００３９】
信号線１６ａ、１６ｂは、図６に示す係止部材５４を介して対の信号用コンタクト３２、３４に接続される。係止部材５４は、一端部がＴ字状部５４ａに形成され、他端部が半環状部５４ｂに形成される。Ｔ字状部５４ａの厚みＴは、信号用コンタクト３２、３４の挟み部４０の最も狭い部分の隙間間隔Ｃよりも僅かに大きく形成される。Ｔ字状部５４ａは信号用コンタクト３２、３４の挟み部４０に係止され、半環状部５４ｂは信号線１６ａ、１６ｂの先端に係止される。
【００４０】
上記の信号用コンタクト３２、３４およびグランド用コンタクト４２と、係止部材５４とを用いた同軸ケーブルの同軸ケーブルコネクタへの接続構造を、図７の同軸ケーブルコネクタの分解斜視図および図８の同軸ケーブルコネクタの部分斜視図を参照して説明する。
【００４１】
信号用コンタクト３２、３４およびグランド用コンタクト４２を保持する絶縁体５６は、直方体状の垂直部５６ａと、垂直部５６ａの一面の上下方向中央部分から延出する水平部５６ｂとで構成される。垂直部５６ａには、上下二段に形成される小孔５８ａ、５８ｂと、上下方向に長い長孔６０とが交互に複数配列される。そして、水平部５６ｂは、小孔５８ａ、５８ｂを形成した部分にのみ延出する櫛歯状に形成される。
【００４２】
上下２つの小孔５８ａ、５８ｂには、信号用コンタクト３２、３４が、先端部分３８を挿通され、ストレート状部３６を嵌合される。これにより、信号用コンタクト３２、３４が絶縁体５６が固定される。絶縁体５６に固定された状態において、信号用コンタクト３２、３４の先端部分３８が絶縁体５６の水平部５６ｂの上下面に接し、また、信号用コンタクト３２、３４の挟み部４０が絶縁体５６の垂直部５６ａから図７中手前側に突出した形態となる。
【００４３】
長孔６０には、グランド用コンタクト４２が、先端部分４６を挿通され、矩形状部４４を嵌合される。これにより、グランド用コンタクト４２が絶縁体５６が固定される。絶縁体５６に固定された状態において、図７中、絶縁体５６の向こう側に先端部分４６が突出し、手前側に折リ曲げ部４８および切り欠き５０を含む先端部分が突出した形態となる。なお、図７中、左側のグランド用コンタクト４２については、折リ曲げ部の表示を省略している。
【００４４】
上記のように同軸ケーブルコネクタ６２を組立てた状態において、図７中、矢印Ａ１方向（配列方向）から見ると、グランド用コンタクト４２の信号用コンタクト３２、３４に対する投影面が信号用コンタクト３２、３４を覆う状態にある。したがって、配列方向に隣り合う対の信号用コンタクト３２、３４は、グランド用コンタクト４２によって確実にシールドされており、クロストークノイズの生成が防止されるため、従来の中継用の基板を設ける場合に比べて、配列方向に隣り合う対の信号用コンタクト３２、３４の配列ピッチを小さくして密に配置することができる。
【００４５】
また、同軸ケーブルコネクタ６２を組立てた状態において、図７中、矢印Ａ１方向と直交する矢印Ａ２方向から見ると、グランド用コンタクト４２の切り欠き５０を含む先端部分が信号用コンタクト３２、３４の挟み部４０よりもさらに手前側に突出して、グランド用コンタクト４２の切り欠き５０を含む先端部分と信号用コンタクト３２、３４の挟み部４０とが千鳥状に配列された状態にある（図８参照。）。
【００４６】
同軸ケーブル１０は、外被覆部３０および外シールド部２８の先端が切開されて、複数の電線１２が露出する。電線１２は、シース２２およびシールド部２０の先端が切開され、さらに被覆部１４ａ、１４ｂが切開されて（図７、図８では被覆部１４ａ、１４ｂは表われない。）信号線１６ａ、１６ｂおよびドレインワイヤ１８が露出する。
【００４７】
信号線１６ａ、１６ｂの先端に前記した係止部材５４の半環状部５４ｂが固定される。
【００４８】
信号線１６ａ、１６ｂは、取り付けられた係止部材５４のＴ字状部５４ａが信号用コンタクト３２、３４の挟み部４０を押し開きながら挿入されて挟み部４０に係止されることにより、信号用コンタクト３２、３４に電気的に接続される。
【００４９】
一方、ドレインワイヤ１８は、折り返されて、グランド用コンタクト４２の切り欠き５０に係止されることにより、グランド用コンタクト４２に電気的に接続される。
【００５０】
信号線１６ａ、１６ｂを係止部材５４を介して信号用コンタクト３２、３４に、また、ドレインワイヤ１８グランド用コンタクト４２に、それぞれ接続した状態を図８に示す。なお、図８では、信号線１６ｂおよび信号線１６ｂが接続される信号用コンタクト３４は表示を省略している。
【００５１】
以上説明した本実施の形態の第１の例に係る同軸ケーブルコネクタへの同軸ケーブルの接続構造は、信号線と信号用コンタクトとの接続部位（係止部位）およびドレインワイヤとグランド用コンタクトとの接続部位（係止部位）が、千鳥状に配置され、接続作業時に相互に干渉することがないため、信号用コンタクトが狭ピッチに配列されたコネクタに同軸ケーブルの信号線およびドレインワイヤを電気的に接続する作業を能率的に行うことができる。また、信号線の露出部分を短くして信号用コンタクトと接続することもできる。また、中継用の基板を用いる従来の方法の場合、基板上の配線間のクロストークノイズの発生を無視することができないが、本実施の形態によれば、この不具合が軽減される。
【００５２】
また、本実施の形態の第１の例に係る同軸ケーブルコネクタへの同軸ケーブルの接続構造は、係止部材を用いた簡易な方法で、かつ確実に信号線を信号用コンタクトに接続することができる。
【００５３】
この場合、係止部材のＴ字状部を挟み部に係止する構造であるため、従来の、切り欠きに単に信号線を引っかける方法に比べて、確実に接続することができる。また、信号線は、信号用コンタクトとの係止部分の直近までシースで覆った電線の形態のままでで引き込まれるため、好適である
また、この場合、ドレインワイヤは切り欠きに係止することで簡易に接続される。また、グランド用コンタクトは、ドレインワイヤが係止される端部まで有効に機能する。このとき、接続状態において、同軸ケーブルあるいは電線に外力が作用したとしても、電線が折り曲げ部で固定されているため、ドレインワイヤがグランド用コンタクトから外れるおそれがない。同様に、信号線は信号用コンタクトにより確実に接続される。また、ドレインワイヤや信号線の位置がずれて相互に接触する等の不具合も防止することができる。
【００５４】
なお、本実施の形態の第１の例に係る同軸ケーブルコネクタへの同軸ケーブルの接続構造において、係止部材を介して係止する信号線および信号用コンタクトの係止構造を、ドレインワイヤおよびグランド用コンタクトの係止部分にさらに設けてもよく、あるいはまた、信号線および信号用コンタクトを切り欠きに係止する構造を用いるとともにドレインワイヤおよびグランド用コンタクトの係止部分のみに上記の係止構造を設けてもよい。
【００５５】
また、本実施の形態の第１の例に係る同軸ケーブルコネクタへの同軸ケーブルの接続構造において、平衡伝送方式に変えてシングル伝送方式を用いてもよく、この場合、１つの信号用コンタクトとグランド用コンタクトが交互に配列される。
【００５６】
つぎに、本実施の形態の第２の例に係る同軸ケーブルコネクタへの同軸ケーブルの接続構造について、図９および図１０を参照して説明する。なお、本実施の形態の第２の例に係る同軸ケーブルコネクタへの同軸ケーブルの接続構造において、絶縁体および同軸ケーブルは、本実施の形態の第１の例に係る同軸ケーブルコネクタへの同軸ケーブルの接続構造と同じものを用いることができるため、図示および説明を省略する。
【００５７】
本実施の形態の第２の例に係る同軸ケーブルコネクタへの同軸ケーブルの接続構造において、複数のグランド用コンタクト４２ａは、図９に示すように、１枚の導体材料の平板から略垂直に切り起こされて形成される。したがって、複数のグランド用コンタクト４２ａは、切り起こし時に残された共通支持部６４に端部が接続され、全てのグランド用コンタクト４２ａが共通支持部６４により一体化される。この共通支持部６４は共通グランドとして用いられる。
【００５８】
隣り合うグランド用コンタクト４２ａ間の共通支持部６４を挟んだ反対側には、半環状部（保持部）６５が突設される。
【００５９】
図１０に示すように、電線１２を接続した状態において、電線１２は、シールド部２０およびシース２２で覆われた部分が半環状部６５に固定される。ドレインワイヤ１８は、第１の例と同様に、切り欠き５０に係止される。なお、図１０中、左側の電線１２の手前側の部分は透視状態で表示している。
【００６０】
一方、信号用コンタクト３２ａ、３４ａは、第１の例のような挟み部は設けられておらず、先端部分６６ａが垂直に折り曲げられて縦壁状に形成され、縦壁状の部分の先端に切り欠き６６ｂが形成される。そして、切り欠き６６ｂに信号線１６ａ、１６ｂが係止される。この場合、切り欠き６６ｂの深奥部の幅寸法を信号線１６ａ、１６ｂの径と同寸法かあるいは信号線１６ａ、１６ｂの径よりも小さな寸法に形成しておくと、被覆部１４ａ、１４ｂ（図３（ｂ）参照。）で覆われた信号線１６ａ、１６ｂを予め切開することなくそのまま切り欠き６６ｂに係止することにより、被覆部１４ａ、１４ｂを押し破って信号線１６ａ、１６ｂを信号用コンタクト３２ａ、３４ａと接触させることができる。
【００６１】
上記のように構成した本実施の形態の第２の例に係る同軸ケーブルコネクタへの同軸ケーブルの接続構造は、全てのグランド用コンタクトが共通支持部により一体化されているため、外力等を受けたときであっても、グランド用コンタクトが変形して、例えば隣の信号用コンタクトと接触する等の不具合を生じることがない。
【００６２】
また、共通支持部が共通グランドとして用いられるため、好適である。
【００６３】
また、電線が半環状部に固定されているため、外力等が同軸ケーブルに作用したときであっても、ドレインワイヤや信号線の位置がずれて相互に接触する等の不具合を防止することができる。この場合、共通支持部に半環状部を設けることなく、単に共通支持部上に電線を支持する形態であってもよく、これにより、一定の効果を得ることができる。
【００６４】
また、信号線を信号用コンタクトの切り欠きに係止するため、信号線を信号用コンタクトに簡易に接続することができ、このとき、上記のように電線が保持部に保持されているため、信号線が切り欠きから容易に脱落することがない。
【００６５】
つぎに、信号線と信号用コンタクトとの接続構造の変形例について、図１１および図１２を参照して説明する。その他の部分については、本実施の形態の第１の例と同様のものは、本実施の形態の第１の例と同じ参照符号を付し、あるいは、図示を省略する。
【００６６】
絶縁体６８は、垂直部６８ａの一面に本実施の形態の第１の例と同様の櫛歯状の水平部６８ｂが設けられるとともに、垂直部６８ａの反対側の面にも櫛歯状の水平部（保持部）６８ｃが設けられる。
【００６７】
対の信号用コンタクト３２ｂ、３４ｂは、それぞれ、両端を含めて全てストレート状に形成される。信号用コンタクト３２ｂ、３４ｂの一端部７０ａが他のコネクタのコンタクトと接続される端子部であり、他端部７０ｂが信号線１６ａ、１６ｂに接続される部分である。
【００６８】
信号用コンタクト３２ｂ、３４ｂは、絶縁体６８の水平部６８ｂ、６８ｃの両面に延出して、配置される。
【００６９】
信号線１６ａ、１６ｂは、信号用コンタクト３２ｂ、３４ｂの他端部７０ｂにはんだ付けにより固定される。このはんだ付けした部分が本発明の係止部である。これにより、信号線１６ａ、１６ｂは、信号用コンタクト３２ｂ、３４ｂと電気的に接続される。
【００７０】
ドレインワイヤ１８は、グランド用コンタクト４２の切り欠き５０に係止され、これにより、ドレインワイヤ１８は、グランド用コンタクト４２と電気的に接続される。
【００７１】
上記の信号線と信号用コンタクトとの接続構造の変形例によれば、水平部上で信号線が信号用コンタクトにはんだ付けされるため、外力等が作用したときであっても、接続した信号線の分離、脱落を防止することができ、また、信号用コンタクトの変形を防止することができる。
【００７２】
【発明の効果】
請求項１に係る同軸ケーブルコネクタへの同軸ケーブルの接続構造によれば、同軸ケーブルの信号線に接続される信号用コンタクトと、信号用コンタクトに隣接して配置され、同軸ケーブルのドレインワイヤに接続されるグランド用コンタクトと、信号用コンタクトおよびグランド用コンタクトを保持する絶縁体とを備える同軸ケーブルコネクタへの同軸ケーブルの接続構造において、グランド用コンタクトが、コンタクト配列方向からみたときの信号用コンタクトに対する投影面が信号用コンタクトを覆うように信号用コンタクトよりも長大に形成され、ドレインワイヤ側に向くグランド用コンタクトの端部および信号線側に向く信号用コンタクトの端部が接続方向に千鳥状に配列され、信号用コンタクトおよびグランド用コンタクトのそれぞれの端部に切り欠きが形成され、切り欠きに信号線またはドレインワイヤを係止することにより、信号用コンタクトおよびグランド用コンタクトが同軸ケーブルに電気的に接続されため、コンタクトが狭ピッチに配列されたコネクタに同軸ケーブルの芯線を電気的に接続する作業を能率的に行うことができる。また、中継用の基板を用いる従来の方法の場合、基板上の配線間のクロストークノイズの発生を無視することができないが、本発明によれば、この不具合が軽減される。
【００７３】
また、請求項２に係る同軸ケーブルコネクタへの同軸ケーブルの接続構造によれば、信号線およびドレインワイヤのいずれか一方または双方の端部に係止部材が取り付けられ、係止部に該係止部材を係止することにより、信号用コンタクトおよびグランド用コンタクトのいずれか一方または双方が同軸ケーブルに電気的に接続されるように構成するため、簡易な方法で、かつ確実に接続することができる。
【００７４】
また、請求項４に係る同軸ケーブルコネクタへの同軸ケーブルの接続構造によれば、グランド用コンタクトの端部が接続される共通支持部が設けられ、全てのグランド用コンタクトが共通支持部により一体化されているため、外力等を受けたときであっても、グランド用コンタクトが変形して、例えば隣の信号用コンタクトと接触する等の不具合を生じることがない。
【００７５】
また、請求項５に係る同軸ケーブルコネクタへの同軸ケーブルの接続構造によれば、グランド用コンタクトの端部と共通支持部とは導通可能に形成され、共通支持部が共通グランドとして用いられるため、好適である。
【００７６】
また、請求項６に係る同軸ケーブルコネクタへの同軸ケーブルの接続構造によれば、共通支持部に保持部が形成され、同軸ケーブルのシースで覆われた部分が保持部に保持されるため、外力等が同軸ケーブルに作用したときであっても、ドレインワイヤや信号線の位置がずれて相互に接触する等の不具合を防止することができる。
【００７７】
また、請求項７に係る同軸ケーブルコネクタへの同軸ケーブルの接続構造によれば、絶縁体に保持部が設けられ、信号用コンタクトの端部が保持部により保持、固定されるため、外力等が作用したときであっても、接続した信号線の分離、脱落を防止することができ、また、信号用コンタクトの変形を防止することができる。
【００７８】
また、請求項８に係る同軸ケーブルコネクタへの同軸ケーブルの接続構造によれば、信号用コンタクトの係止部は、信号用コンタクトの端部の先端が二股に分岐し、かつその分岐した二股部分のそれぞれの先端が折り返されて形成される挟み部を有し、信号線の係止部材は、一端に信号線の端部の先端が固定される固定部を有するとともに、他端にＴ字状部を有し、挟み部にＴ字状部を係止するため、従来の、切り欠きに単に信号線を引っかける方法に比べて、確実に接続することができる。
【００７９】
また、請求項１０に係る同軸ケーブルコネクタへの同軸ケーブルの接続構造によれば、グランド用コンタクトの端部よりも中心側に保持部が形成され、同軸ケーブルのシースで覆われた部分が保持部に保持されるとともに、保持部より先に位置する同軸ケーブルのシースが除去されて露出したドレインワイヤを折り返してドレインワイヤの端部を切り欠きに係止するため、外力等が同軸ケーブルに作用したときであっても、ドレインワイヤや信号線の位置がずれて相互に接触する等の不具合を防止することができる。また、信号線は、信号用コンタクトとの係止部分の直近までシースで覆われ、一方、グランド用コンタクトは、ドレインワイヤが係止される端部まで有効に機能するため、好適である。
【図面の簡単な説明】
【図１】従来のコンタクトの一例であり、図１（ａ）はコンタクトの斜視図を、図１（ｂ）はコンタクトの部分平面図をそれぞれ示す。
【図２】従来の同軸ケーブルコネクタへの同軸ケーブルの接続構造の一例の概略構成を示す図である。
【図３】同軸ケーブルの構造を説明するためのものであり、図３（ａ）は同軸ケーブルの断面図であり、図３（ｂ）は同軸ケーブル中の１本の電線の断面図である。
【図４】本実施の形態の第１の例に係る同軸ケーブルコネクタへの同軸ケーブルの接続構造において用いる信号用コンタクトの斜視図である。
【図５】本実施の形態の第１の例に係る同軸ケーブルコネクタへの同軸ケーブルの接続構造において用いるグランド用コンタクトの斜視図である。
【図６】本実施の形態の第１の例に係る同軸ケーブルコネクタへの同軸ケーブルの接続構造において用いる係止部材の斜視図である。
【図７】本実施の形態の第１の例に係る同軸ケーブルコネクタへの同軸ケーブルの接続構造を説明するための、同軸ケーブルコネクタおよび同軸ケーブルの分解斜視図である。
【図８】本実施の形態の第１の例に係る同軸ケーブルコネクタおよび同軸ケーブルの接続状態を示す部分図である。
【図９】本実施の形態の第２の例に係る同軸ケーブルコネクタへの同軸ケーブルの接続構造において用いる、一体化されたグランド用コンタクト群の部分斜視図である。
【図１０】本実施の形態の第２の例に係る同軸ケーブルコネクタへの同軸ケーブルの接続構造によるコンタクトおよび同軸ケーブルの接続状態を示す部分図である。
【図１１】本実施の形態の第３の例に係る同軸ケーブルコネクタへの同軸ケーブルの接続構造による同軸ケーブルコネクタおよび同軸ケーブルの接続状態を示す部分斜視図である。
【図１２】本実施の形態の第３の例に係る同軸ケーブルコネクタへの同軸ケーブルの接続構造による同軸ケーブルコネクタおよび同軸ケーブルの接続状態を示す図１１中ＸＩＩ−ＸＩＩ線上断面図である。
【符号の説明】
１０  同軸ケーブル
１２  電線
１４ａ、１４ｂ  被覆部
１６ａ、１６ｂ  信号線
１８  ドレインワイヤ
２０  シールド部
２２  シース
２６  外シース
２８  外シールド部
３２、３４  信号用コンタクト
４０  挟み部
４２、４２ａ  グランド用コンタクト
４８  折リ曲げ部
５０、６６ｂ  切り欠き
５４  係止部材
５４ａ  Ｔ字状部
５４ｂ  半環状部
５６、６８  絶縁体
５６ａ、６８ａ  垂直部
５６ｂ、６８ｂ、６８ｃ  水平部
６２  同軸ケーブルコネクタ
６４  共通支持部
６５  半環状部
７０ｂ  他端部
【図１】
2004158289.tif 000003
【図２】
2004158289.tif 000004
【図３】
2004158289.tif 000005
【図４】
2004158289.tif 000006
【図５】
2004158289.tif 000007
【図６】
2004158289.tif 000008
【図７】
2004158289.tif 000009
【図８】
2004158289.tif 000010
【図９】
2004158289.tif 000011
【図１０】
2004158289.tif 000012
【図１１】
2004158289.tif 000013
【図１２】
2004158289.tif 000014